(57)【要約】【課題】ペットの飼育が簡単且つ容易に行えるとともに、低価格で製造・販売することができるペット用トイレを提供する。【解決手段】ペット用トイレ１をペットＡが使用する場合、踏み台１３を利用して、ペットＡがトイレ本体２の中に入り、スノコ３に乗ると、スノコ３がペットＡの体重により押し下げられ、そのスノコ３の押し下げにより弁部５が開動作して、排出口４を開放する。また、排泄が済み、ペットＡがスノコ３から降りて、トイレ本体２の外に出ると、ペットＡの体重によるスノコ３の押し下げが解除され、弁部５が閉動作して、排出口４を閉塞する。【選択図】  図４
2006204230.tif 000002
【特許請求の範囲】
【請求項１】
上部が開放されたトイレ本体の内側底部に、ペットが排泄した液状排泄物の通過が許容され、該ペットの足及び体をトイレ本体の底部に対して離間した状態に支持するような構造を有するスノコを敷設し、
上記トイレ本体の底部に設けた排出口に、上記スノコにペットが乗ると開動作され、該スノコからペットが降りると閉動作される弁部を設けた
ペット用トイレ。
【請求項２】
上記トイレ本体の底部を、上記排出口に向けて上記ペットの液状排泄物が流下するような斜面又は曲面に設けた
請求項１に記載のペット用トイレ。
【請求項３】
上記トイレ本体の排出口に接続された排出路に、上記ペットが排泄した液状排泄物の通過を許容し、該排出口に向けて液状排泄物及び排泄物特有の臭いが逆流するのを阻止する弁部を設けた
請求項１又は２に記載のペット用トイレ。
【請求項４】
上記排出路を、上記ペットの液状排泄物が貯溜される容器と、該液状排泄物が連続して排出される排水管とのいずれか一方又は両方に接続した
請求項１，２，３のいずれか一つに記載のペット用トイレ。
【請求項５】
上記スノコの上面に、上記ペットの習性を利用して該ペットに排泄させるための排泄癖付け部材を設けた
請求項１〜４のいずれか一つに記載のペット用トイレ。
【請求項６】
上記ペット用トイレが収容されるハウスを備えるとともに、該ハウスに上記ペットの出入りが許容される出入り口を設けた
請求項１〜５のいずれか一つに記載のペット用トイレ。
【請求項７】
上記トイレ本体に付着する液状排泄物を洗浄除去するのに適した洗浄液を噴出する洗浄液噴出手段を備えた
請求項１〜６のいずれか一つに記載のペット用トイレ。
【発明の詳細な説明】
【技術分野】
【０００１】
この発明は、例えば猫、犬等のペットを飼育するときに用いられるペット用トイレに関する。
【背景技術】
【０００２】
従来、上述のペット用トイレとしては、例えばペットの排尿を、容器内部に架設した金網下部の台部に流下させ、台部の排液孔に接続された尿貯め容器に貯めるか、排液孔に設けた弁を水圧で開放して排出する特許文献１の金網及び尿貯め容器付きペット用トイレがあるが、弁に付加される水圧が弱いと開放されず、排尿が台部に残留することがあるため、尿特有の臭いがトイレの周囲に放出され、生活環境が悪くなる。
【０００３】
また、排尿又は排便を終えたペットがトイレから出たことをセンサーで検知し、その検知に基づいて、通水性濾過材からなる便器上の糞尿固形物を、噴射機構から噴射される水で洗い流して排出口から排出する特許文献２のペット用水洗トイレがあるが、センサーや噴射機構等を設けるため、トイレ全体の構成及び構造が複雑となるだけでなく、製造作業に手間及び時間が掛かるため、製造時及び販売時の価格が高くなる。
【０００４】
【特許文献１】特開２００１−３４６４７２号公報
【特許文献２】特許第３３００８９０号公報
【発明の開示】
【発明が解決しようとする課題】
【０００５】
この発明は上記問題に鑑み、ペットの飼育が簡単且つ容易に行え、低価格で製造・販売することができるペット用トイレの提供を目的とする。
【課題を解決するための手段】
【０００６】
請求項１に記載した発明のペット用トイレは、上部が開放されたトイレ本体の内側底部に、ペットが排泄した液状排泄物の通過が許容され、該ペットの足及び体をトイレ本体の底部に対して離間した状態に支持するような構造を有するスノコを敷設し、上記トイレ本体の底部に設けた排出口に、上記スノコにペットが乗ると開動作され、該スノコからペットが降りると閉動作される弁部を設けたことを特徴とする。
【０００７】
つまり、ペット用トイレ１を使用する場合、例えば猫、犬等のペットがトイレ本体の中に入り、スノコに乗ると、スノコがペットの体重により押し下げられ、そのスノコの押し下げにより弁部が開動作して、排出口を開放する。且つ、ペットがスノコに乗っている間も弁部の開状態が継続されるので、ペットが排泄する尿などの液状排泄物は、スノコを通ってトイレ本体の底部に滴り落ち、排出口から排出される。また、排泄が済み、ペットがスノコから降りて、トイレ本体の外に出ると、ペットの体重によるスノコの押し下げが解除され、弁部が閉動作して排出口を閉塞する。
【０００８】
請求項２に記載した発明のペット用トイレは、上記請求項１に記載の構成と併せて、上記トイレ本体の底部を、上記排出口に向けて上記ペットの液状排泄物が流下するような斜面又は曲面に設けたことを特徴とする。つまり、ペットの液状排泄物を排出口に向けて流下させ、効率よく排出する。
【０００９】
請求項３に記載した発明のペット用トイレは、上記請求項１又は２に記載の構成と併せて、上記トイレ本体の排出口に接続された排出路に、上記ペットが排泄した液状排泄物の通過を許容し、該排出口に向けて液状排泄物及び排泄物特有の臭いが逆流するのを阻止する弁部を設けたことを特徴とする。つまり、排出口及び排出路に設けた各弁部により２重に遮断して、排泄物特有の臭いが排出口から放出されるのを防止する。
【００１０】
請求項４に記載した発明のペット用トイレは、上記請求項１，２，３のいずれか一つに記載の構成と併せて、上記排出路を、上記ペットの液状排泄物が貯溜される容器と、該液状排泄物が連続して排出される排水管とのいずれか一方又は両方に接続したことを特徴とする。つまり、排出口から排出されるペットの液状排泄物を、例えばトイレ本体の後部又は側部、下部等に配置された携帯型の容器に貯溜すれば、液状排泄物が貯溜された容器を、例えば家庭のトイレ本体や下水等が設置された所定の廃棄場所まで運搬して、容器に貯溜された液状排泄物を廃棄処理するので、ペット用トイレの設置場所が限定されず、屋内や屋外の所望する場所に設置することができる。また、下記排水管に接続する必要がなく、施工費の低減を図ることができる。
【００１１】
また、排出口を、アタッチメント及び延長管を介して、例えば一般家庭、公共施設等に設置されたトイレ本体や下水の排水管に接続すれば、排出口から排出されるペットの液状排泄物を排水管に直接排出することができ、上述のような容器を、所定の廃棄場所まで運搬するような手間及び作業が省ける。
【００１２】
請求項５に記載した発明のペット用トイレは、上記請求項１〜４のいずれか一つに記載の構成と併せて、上記スノコの上面に、上記ペットの習性を利用して該ペットに排泄させるための排泄癖付け部材を設けたことを特徴とする。つまり、例えば犬が片足を上げて排泄する習性を利用して、排泄癖付け部材に向けて排泄するように癖付ける。
【００１３】
請求項６に記載した発明のペット用トイレは、上記請求項１〜５のいずれか一つに記載の構成と併せて、上記ペット用トイレが収容されるハウスを備えるとともに、該ハウスに上記ペットの出入りが許容される出入り口を設けたことを特徴とする。つまり、ペット用トイレがハウスで覆い隠されるため、排泄中において、ペットの視界に移動する物が入らず、ペットの気持ちが散ることがないため、排泄に集中させることができる。
【００１４】
請求項７に記載した発明のペット用トイレは、上記請求項１〜６のいずれか一つに記載の構成と併せて、上記トイレ本体に付着する液状排泄物を洗浄除去するのに適した洗浄液を噴出する洗浄液噴出手段を備えたことを特徴とする。つまり、排泄後において、洗浄液噴出手段から噴出される洗浄液を、ペットが排泄した液状排泄物が付着するような部分に吹き付けて洗浄処理及び殺菌処理し、清潔且つ衛生的な状態に保つ。また、洗浄液噴出手段は、例えば手動噴出式又は電動噴出式の洗浄液充填容器、据付け型の噴射液噴出装置等で構成することができる。
【発明の効果】
【００１５】
この発明によれば、ペット用トイレを構成するトイレ本体の底部に設けた排出口の弁部は、ペットがスノコに乗ると開放され、ペットがスノコから降りると閉塞されるので、ペットがスノコの上で排泄している間、液状排泄物を排出口から確実に排出することができ、従来例のトイレに比べて、ペットの液状排泄物を処理するのに手間及び世話が掛からず、飼育が簡単且つ容易に行える。
【００１６】
また、例えば砂、吸水シート等の敷設物を使用及び購入する必要がないので、経済的でもある。且つ、ペット用トイレ全体の構成及び構造が簡素であるため、簡単且つ容易に製作でき、低価格で製造・販売することができる。
【００１７】
また、排出口及び排出路に設けた各弁部により２重に遮断するので、排泄物特有の臭いが排出口から放出されるのを防止することができ、防臭ストッパとして非常に効果的である。且つ、ペット用トイレを設置した場所及び周辺の環境が損なわれず、人が生活するのに適した環境を保つことができる。
【発明を実施するための最良の形態】
【００１８】
この発明は、ペットの飼育が簡単且つ容易に行えるとともに、低価格で製造・販売することができるという目的を、トイレ本体の底部に設けた排出口に、該底部に敷設したスノコにペットが乗ると開放され、該スノコからペットが降りると閉塞される弁部を設けることで達成した。
【実施例】
【００１９】
この発明の一実施例を以下図面に基づいて詳述する。  
図面は、ペットを飼育するときに用いられるペット用トイレを示し、図１及び図２に於いて、このペット用トイレ１は、例えば猫、犬等のペットＡの出入りが容易に行えるように上部が開放されたトイレ本体２の内側底部２ａに、ペットＡが排泄した尿などの液状排泄物Ｂの通過が許容され、ペットＡの足及び体がトイレ本体２の底部２ａに対して離間した状態に支持するような構造を有するスノコ３を敷設し、トイレ本体２の底部２ａに設けた排出口４に、スノコ３にペットＡが乗ると開動作され、該スノコ３からペットＡが降りると閉動作される弁部５を設けている。
【００２０】
上記トイレ本体２の底部２ａは、前側底部２ａに設けた排出口４に向けて、ペットＡの液状排泄物Ｂが流下するような斜面又は曲面に設けている。また、排出口４を、例えば左側底部、右側底部、後側底部、角隅底部等の所望する場所に設けてもよい。
【００２１】
且つ、トイレ本体２の上面側周縁部に形成した壁部２ｂは、ペットＡが排泄するときに、液状排泄物Ｂがトイレ本体２外部に向けて飛散しようとするのを防止するような高さに形成され、且つ、ペットＡが出入りするトイレ本体２の前側中央壁部２ｂは、ペットＡの出入りが容易に行えるような低さに形成している。
【００２２】
また、トイレ本体２の下面側四隅部には、図３にも示すように、４本の脚部２ｃ…が差込み固定され、各脚部２ｃ…の上端部を、トイレ本体２の下面側四隅部に形成した各差込み部２ｄ…に差込むとともに、脚部２ｃの上端部に形成した係止爪２ｅを、差込み部２ｄに形成した係止孔２ｆに係止して抜止めすれば、トイレ本体２全体を、排出口４から排出される液状排泄物Ｂが後述する貯溜容器Ｃに向けてスムースに流下される高さに略水平支持する。また、脚部２ｃの係止爪２ｅを、その係止力に抗して内側に向けて強制的に押し込み、係止爪２ｅを係止孔２ｆから離脱すれば、各脚部２ｃ…をトイレ本体２の下面側四隅部から抜き取り、分解することができる。なお、各脚部２ｃ…を、トイレ本体２の下面側四隅部に対して一体的に設けてもよい。
【００２３】
前記弁部５は、図４、図５にも示すように、排出口４を閉塞する弁体５ａの軸部を、排出口４の上面側開口部に嵌合される漏斗体５ｂ中心に対して上下動自在に挿入保持し、排出口４が閉塞される方向に向けて重量又はバネ等で付勢している。また、弁体５ａの軸部上端を、板状又は線状に形成されたバネ５ｃの中央部に固定し、バネ５ｃの両端部を、排出口４の上面側周縁部よりも外方に向けて延出するとともに、スノコ３が押し下げられたとき、スノコ３下面に対して当接されるような長さ及び形状に折曲げ形成している。
【００２４】
つまり、ペットＡがスノコ３の上に乗ると、後述するスノコ３下面に取り付けた支持バネ３ａ，３ａの復元力に抗して、ペットＡの体重によりスノコ３全体が押し下げられ、スノコ３下面に当接するバネ５ｃの両端部が押し下げられる。且つ、バネ５ｃの中央部及び両端部が略水平状態に押し延ばされ、バネ５ｃの中央部が上方に持ち上げられるので、排出口４が開放される上方に向けて弁体５ａが開動作する。
【００２５】
また、ペットＡがスノコ３の上から降りると、ペットＡの体重によるスノコ３の押し下げが解除され、スノコ３下面に取り付けた支持バネ３ａ，３ａと、スノコ３下面に当接するバネ５ｃの両端部とが元の状態に復元して、バネ５ｃ全体が折曲げ状態に復帰するので、バネ５ｃの中央部が降下し、排出口４が閉塞される下方に向けて弁体５ａが閉動作する。
【００２６】
また、バネ５ｃの両端部が押し下げられたとき、排出口４の上面側周縁部に対して、バネ５ｃの中央部及び両端部の略中間部に相当する折曲げ部分を当接し、その当接部分を支点として、バネ５ｃの中央部が上方に持ち上げられ、排出口４が開放される上方に向けて弁体５ａを開動作するように設けることもできる。或いは、スノコ３全体が押し下げられると、弁体５ａが下方に向けて開動作するように設けることもできる。
【００２７】
上記排出口４に接続された排出路６は、例えば蛇腹ホース等の柔軟性を有する排出管７を介して、トイレ本体２後部に配置した貯溜容器Ｃに接続され、その排出管７の排出側端部は、貯溜容器Ｃの流入口Ｃａに対して水密状態に差込み接続される。且つ、排出管７の排出側端部は、トイレ本体２の下面側後部に垂設した支持部８の受け孔８ａに対して挿入され、排出管７端部に接続された貯溜容器Ｃ内部に向けて液状排泄物Ｂの流下が許容される下向き状態と、排出管７内の残留液状排泄物Ｂが滴り落ちるの防止する上向き状態とに上下揺動自在に設けている。
【００２８】
また、排出管７の排出側端部に取り付けた牽引部材９は、トイレ本体２の後側壁部２ｂに突設した上側突起１０又は下側突起１０に対して係止可能に設けている。つまり、牽引部材９の上端を下側突起１０に係止すると、排出管７の排出側端部が低くなり、液状排泄物Ｂの排出及び流下が許容される。また、牽引部材９の上端を上側突起１０に係止すると、排出管７の排出側端部が上向き状態に持ち上げられ、残留液状排泄物Ｂが排出管７の排出側端部から滴り落ちるのを防止する。なお、突起１０に代えて、牽引部材９の上端を上下孔部に係止してもよい。
【００２９】
また、排出路６の途中には、ペットＡが排泄した液状排泄物Ｂの排出を許容し、排出口４に向けて液状排泄物Ｂ及び排泄物特有の臭いが逆流するのを阻止する弁部１１を設けている。なお、排出管７の排出側端部を持ち上げる代わりに、例えば液状排泄物Ｂが漏れ出るのを防止する弁を排出管７の排出側端部に設けるか、排出管７の排出側端部を栓体で閉塞してもよい。
【００３０】
前記スノコ３は、トイレ本体２の底部２ａ全体が覆われる大きさ及び形状であって、ペットＡが排泄した液状排泄物Ｂの通過が許容される網目構造に形成され、ペットＡの足及び体を、トイレ本体２の底部２ａに対して離間又は浮いた状態、或いは、底部２ａに対して接触が回避される状態に支持するとともに、その底部２ａとスノコ３との対向面間に液状排泄物Ｂの流下が許容される空間を形成する。
【００３１】
また、スノコ３の前側下面に取り付けたコイル状の支持バネ３ａ，３ａは、排出口４両側部のトイレ本体２の底部２ａに対して押し当てられ、支持バネ３ａ，３ａ自体に蓄積された復元力により、スノコ３の排出口４と対向する側の下面をトイレ本体２の底部２ａに対して離間又は浮き上がらせた高さ位置に支持して、弁部５の弁体５ａ上端に取り付けたバネ５ｃの両端部に対する当接及び接触を回避させ、排出口４が閉塞される状態に弁体５ａを維持する。なお、支持バネ３ａを、スノコ３の下面全体に複数取り付けてもよい。
【００３２】
また、スノコ３の前側縁部に取り付けた引き上げ部３ｂは、トイレ本体２の底部２ａからスノコ３を取り外すときに手で把持可能な長さ及び大きさに設けている。つまり、スノコ３は、トイレ本体２の底部２ａに敷設しているだけであるので、スノコ３の引き上げ部３ｂを手で把持して上方に持ち上げれば簡単に取り外すことができる。
【００３３】
また、スノコ３上面に対して略鉛直に差込み固定される柱状（又は棒状、壁状等）の排泄癖付け部材１２は、犬が片足を上げて排泄する習性を利用したものであり、スノコ３上面の所望する部分に対して差込み位置を変更可能に設けている。また、排泄癖付け部材１２をスノコ３から取り外せば、猫専用のペット用トイレ１として使用することができる。なお、排泄癖付け部材１２をスノコ３上面に対して一体的に設けてもよい。
【００３４】
また、トイレ本体２の前側下部には、使用時において、ペットＡがトイレ本体２の中に出入りすることが容易に行えるような高さに形成した階段状の踏み台１３が設置される。また、踏み台１３の階段面には、ペットＡが爪とぎするのに適した素材の爪とぎ体１３ａを敷設している。なお、ペットＡの出入りが容易に行えるような高さにトイレ本体２を設ければ、踏み台１３を使用する必要がない。
【００３５】
前記貯溜容器Ｃは、ペットＡが排泄する１日分又は１週間分の液状排泄物Ｂを所定量貯溜するのに適した容積に形成され、排出管７の端部が接続される流入口Ｃａを貯溜容器Ｃの側部又は上部に設け、その流入口Ｃａを閉塞する栓体Ｃｂを該流入口Ｃａ近傍に取り付けている。また、液状排泄物Ｂの排出が許容される流出口Ｃｃを貯溜容器Ｃの上部に設け、その流出口Ｃｃを閉塞する蓋体Ｃｄを該流出口Ｃｃ近傍に取り付けている。また、貯溜容器Ｃを持ち運ぶときに把持される把持部Ｃｅを貯溜容器Ｃの上部又は側部に設けている。また、流入口Ｃａの内面及び外面は、例えば防臭ラバー、防臭シート等のシール機能を備えた防臭部材で覆われており、流入口Ｃａと排出管７との接続部分（又は隙間）を気密状態にシールして、排泄物特有の臭いが漏洩するのを防止する。なお、貯溜容器Ｃを、例えばトイレ本体２の側部、下部等の所望する場所に配置してもよい。
【００３６】
また、トイレ本体２後部に配置された貯溜容器Ｃに近接して、トイレ本体２の後側壁部２ｂに対して着脱自在に取り付けられた上部開放型の収容部１７には、スノコ３上に排泄されたペットＡの糞を取り除くために用いられる汚物取り除き具１８が収容される。
【００３７】
図示実施例は上記の如く構成するものにして、以下、ペット用トイレ１を用いた飼育方法を説明する。
【００３８】
先ず、図１、図２にも示すように、ペット用トイレ１をペットＡが使用する場合、踏み台１３を利用して、例えば猫等のペットＡがトイレ本体２の中に入り、トイレ本体２の底部２ａに敷設したスノコ３に乗ると、図４、図５にも示すように、スノコ３に取り付けた支持バネ３ａ，３ａの復元力に抗して、スノコ３全体がペットＡの体重により押し下げられ、スノコ３下面に当接するバネ５ｃの両端部が押し下げられるとともに、スノコ３を介して付加されるペットＡの体重により排出口４に設けた弁部５の弁体５ａが仮想線で示す状態に開動作して、排出口４を開放する。
【００３９】
つまり、ペットＡがスノコ３に乗っている間も弁部５の開状態が継続されるので、ペットＡが排泄する液状排泄物Ｂは、スノコ３を通ってトイレ本体２の底部２ａに滴り落ち、スノコ３により排出が妨げられることなく、排出口４から連続して排出される。
【００４０】
次に、排泄が済み、ペットＡがスノコ３から降りて、トイレ本体２の外に出ると、ペットＡの体重によるスノコ３の押し下げが解除され、スノコ３に取り付けた支持バネ３ａ，３ａと、スノコ３下面に当接するバネ５ｃとが元の状態に復元して、弁部５の弁体５ａが実線で示す状態に閉動作して、排出口４を閉塞する。
【００４１】
また、排出路６に接続された貯溜容器Ｃが満杯となるまでに、貯溜容器Ｃを排出路６から取り外す場合、排出路６の排出側端部に連結された牽引部材９を引き上げ操作して、排出管７の排出側端部から残留液状排泄物Ｂが流出しないような高さに上向き状態に引き上げた後、排出管７の排出側端部を貯溜容器Ｃの流入口Ｃａから抜き取り、その流入口Ｃａを栓体Ｃｂで閉塞する。
【００４２】
次に、貯溜容器Ｃに貯溜された液状排泄物Ｂを廃棄する場合、貯溜容器Ｃの把持部Ｃｅを手で把持して、例えば一般家庭、公共施設等に設置されたトイレ本体２や下水が存在する所定の廃棄場所まで運搬した後、貯溜容器Ｃの流出口Ｃｃから蓋体Ｃｄを取り外して、貯溜容器Ｃに貯溜された液状排泄物Ｂを廃棄場所に廃棄するので、ペット用トイレ１の設置場所が限定されず、屋内や屋外の所望する場所に設置することができる。また、排出路６を、例えば住居や建物のトイレ、下水等の排水管に接続する必要がなく、施工費の低減を図ることができる。
【００４３】
また、スノコ３を手で押し下げて弁部５を開動作すれば、トイレ本体２の底部２ａに残留するような液状排泄物Ｂを排出口４から排出することができる。また、スノコ３は、トイレ本体２の底部２ａに敷設しているだけであるので、スノコ３の引き上げ部３ｂを手で把持して上方に持ち上げて取り外せば、トイレ本体２及びスノコ３を個々に洗浄することができる。
【００４４】
以上のように、ペット用トイレ１を構成するトイレ本体２の底部２ａに設けた排出口４の弁部５は、ペットＡがスノコ３に乗ると開放され、ペットＡがスノコ３から降りると閉塞されるので、ペットＡがスノコ３の上で排泄している間、液状排泄物Ｂを排出口４から確実に排出することができ、従来例のトイレに比べて、ペットＡの液状排泄物Ｂを処理するのに手間及び世話が掛からず、飼育が簡単且つ容易に行える。
【００４５】
また、例えば砂、吸水シート等の敷設物を使用及び購入する必要がないので、経済的でもある。且つ、ペット用トイレ１全体の構成及び構造が簡素であるため、簡単且つ容易に製作でき、低価格で製造・販売することができる。
【００４６】
また、排出口４及び排出路６に設けた各弁部５により２重に遮断するので、排泄物特有の臭いが排出口４から放出されるのを防止することができ、防臭ストッパとして非常に効果的である。且つ、ペット用トイレ１を設置した場所及び周辺の環境が損なわれず、人が生活するのに適した環境を保つことができる。
【００４７】
図６、図７は、家型又は箱型を有するハウス１４内部に収容したペット用トイレ１の他の例を示し、トイレ本体２全体が収容される大きさ及び形状に形成したハウス１４の前側中央部に、ハウス１４内部に収容されたトイレ本体２に対してペットＡの出入りが許容される出入り口１４ａを設け、出入り口１４ａが閉塞される大きさ及び形状に形成した扉部１５を、出入り口１４ａの上縁部（又は側縁部）に対して開閉自在に枢着している。つまり、上述の実施例と略同等の作用及び効果を奏することができるとともに、例えば猫、犬等のペットＡは、狭い空間を好むため、ハウス１４に収容されたペット用トイレ１に入って排泄する習慣を付けることができる。また、ペット用トイレ１がハウス１４で覆い隠されるため、排泄中において、ペットＡの視界に移動する物が入らず、ペットＡの気持ちが散ることがないため、排泄に集中させることができる。
【００４８】
また、ハウス１４の上面側開口部１４ｂが閉塞される大きさ及び形状に形成した天井部１６を、開口部１４ｂの一側縁部に対して開閉自在に枢着しているので、天井部１６を開放すれば、ペットＡが排泄する様子を開口部１４ｂから確認することができる。
【００４９】
また、貯溜容器Ｃの出し入れが許容される出し入れ部１４ｃを、ハウス１４の後側下部に切欠き形成しているので、ハウス１４を取り外すことなく、液状排泄物Ｂが貯溜された貯溜容器Ｃのみをハウス１４外部に取り出したり、未貯溜の貯溜容器Ｃをハウス１４内部に収容する作業が容易に行える。
【００５０】
また、トイレ本体２の後側壁部２ｂに対して着脱自在に取り付けられた上部開放型の収容部１７には、ペットＡの糞を取り除くための汚物取り除き具１８が収容される。つまり、ペットＡの糞がスノコ３上に排泄された場合、ペットＡの糞を収容部１７から取り出した汚物取り除き具１８で保持して、例えば一般家庭、公共施設等に設置されたトイレや下水に廃棄することができる。
【００５１】
また、ペット用トイレ１を構成するトイレ本体２と、貯溜容器Ｃと、収容部１７と、ハウス１４とは、これらの載置が許容される大きさ及び形状に形成した載置トレイ２０に載置して所望する場所に配置され、ペット用トイレ１を配置した場所及び周辺が傷付くか、ペットＡの液状排泄物Ｂで汚れるのを防止する。また、踏み台１３を含むペット用トイレ１全体を載置トレイ２０に載置するか、ペット用トイレ１自体を所望する場所に直接配置することもできる。
【００５２】
また、上記収容部１７に、洗浄液が所定量充填された手動噴出式の洗浄液噴出容器１９を収容しておくか、トイレ本体２に対して着脱自在に取り付けてもよく、排泄後において、手動噴出式の洗浄液噴出容器１９から噴出される洗浄液を、ペットＡが排泄した液状排泄物Ｂが付着するような部分に吹き付けて洗浄処理及び殺菌処理すれば、清潔且つ衛生的な状態に保つことができる。また、消臭剤を併用すれば、排泄物特有の臭いの成分を分解して消臭する効果も得られる。なお、手動噴出式の洗浄液噴出容器１９の代わりに、例えば電動噴出式の洗浄液噴出容器、据付け型の洗浄液噴出装置等を設けてもよい。
【００５３】
図８は、トイレ本体２の底部２ａの排出口４に接続された排出路６を、アタッチメント２１及び延長管２２を介して予め設置された排水管２３に接続したペット用トイレ１の他の例を示し、排出路６に接続された排出管７の排出側端部を、アタッチメント２１及び延長管２２を介して、例えば一般家庭、公共施設等に設置されたトイレや下水の排水管２３に接続している。
【００５４】
つまり、排出口４から排出されるペットＡの液状排泄物Ｂを、一般家庭に設置されたトイレや下水等の排水管２３に直接排出するので、上述の実施例と略同等の作用及び効果を奏することができるとともに、液状排泄物Ｂが貯溜された貯溜容器Ｃを、所定の廃棄場所まで運搬するような手間及び作業が省け、液状排泄物Ｂの処理が簡単且つ容易に行える。また、液状排泄物Ｂを汚水処理装置で分解処理してから排水管に排出してもよい。
【００５５】
この発明の構成と、上述の実施例との対応において、  
この発明の洗浄液噴出手段は、実施例の洗浄液噴出容器１９に対応するも、  
この発明は、上述の実施例の構成のみに限定されるものではない。
【００５６】
上述のペット用トイレ１を、例えばペットを飼育する個人の住居、公共の施設等の建物内部又は建物外部の所望する場所に予め据え付けておくこともできる。
【産業上の利用可能性】
【００５７】
本発明のペット用トイレは、例えば猫、犬以外の愛玩用動物（ペット）を飼育するのにも利用することができる。
【図面の簡単な説明】
【００５８】
【図１】ペット用トイレにペットが乗り込んだ状態を示す前側斜視図。
【図２】液状排泄物を貯溜容器に回収する状態を示す後側斜視図。
【図３】スノコを取り外した状態を示す後側斜視図。
【図４】液状排泄物を容器に回収する方法を示す縦断側面図。
【図５】排出口の開閉動作を示す拡大断面図。
【図６】ハウスを備えたペット用トイレを示す後側斜視図。
【図７】ハウスを取り除いた状態を示す後側斜視図。
【図８】液状排泄物を排水管に直接排出する方法を示す縦断側面図。
【符号の説明】
【００５９】
Ａ…ペット
Ｂ…液状排泄物
Ｃ…貯溜容器
１…ペット用トイレ
２…トイレ本体
２ａ…底部
３…スノコ
４…排出口
５…弁部
６…排出路
７…排出管
１１…弁部
１２…排泄癖付け部材
１３…踏み台
１４…ハウス
１４ａ…出入り口
１５…扉部
１６…天井部
１７…収容部
１８…汚物取り除き具
１９…洗浄液噴出容器
２０…載置トレイ
２１…アタッチメント
２２…延長管
２３…排水管
【図１】
2006204230.tif 000003
【図２】
2006204230.tif 000004
【図３】
2006204230.tif 000005
【図４】
2006204230.tif 000006
【図５】
2006204230.tif 000007
【図６】
2006204230.tif 000008
【図７】
2006204230.tif 000009
【図８】
2006204230.tif 000010